【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始条件の成立にもとづいて可変表示を行い、特定表示結果が導出表示されたときに遊技者にとって有利な有利状態に移行させる遊技機であって、
遊技者が操作可能な操作手段と、
前記始動領域を遊技媒体が通過したが可変表示の開始条件が成立していない可変表示について保留表示として表示する保留表示手段と、
前記特定表示結果が導出表示されるか否かを示唆する特別演出を実行する特別演出実行手段と、
第１操作有効期間内に前記操作手段に対して操作がなされたことにより態様が変化する第１演出、および第２操作有効期間内に前記操作手段に対して操作がなされたことにより態様が変化する第２演出を実行可能な演出実行手段とを備え、
前記第１演出は、前記保留表示手段の表示態様が変化する演出であり、
前記第１操作有効期間と前記第２操作有効期間とは重複する場合と重複しない場合とがあり、
前記演出実行手段は、前記第１操作有効期間と前記第２操作有効期間とが重複している期間に前記操作手段に対して操作がなされたことにより、前記第１演出および前記第２演出のうちいずれか一方を実行し、
前記特別演出が実行されているときには前記第１演出の実行を禁止する禁止手段を備えた
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
そこで、本発明は、遊技に対する興趣を減退させてしまうことを防止できるようにすることを目的とする。
【手続補正４】
【補正対象書類名】明細書
【補正対象項目名】０００９
【補正方法】変更
【補正の内容】
【０００９】
（１）本発明による遊技機は、始動領域（例えば、第１始動入賞口１３や第２始動入賞口１４）を遊技媒体（例えば、遊技球）が通過した後、可変表示の開始条件の成立（例えば、第１特別図柄および第２特別図柄のいずれの可変表示も実行されていない状態で、かつ大当り遊技状態でもないこと）にもとづいて可変表示を行い、特定表示結果（例えば、大当り図柄）が導出表示されたときに遊技者にとって有利な有利状態（例えば、大当り遊技状態）に移行させる遊技機であって、遊技者が操作可能な操作手段（例えば、プッシュボタン１２０）と、始動領域を遊技媒体が通過したが可変表示の開始条件が成立していない可変表示について保留表示として表示する保留表示手段（例えば、合算保留記憶表示部１８ｃ）と、特定表示結果が導出表示されるか否かを示唆する特別演出を実行する特別演出実行手段と、第１操作有効期間（例えば、「保留球変化」の態様の先読み予告演出の実行期間）内に操作手段に対して操作がなされたことにより態様が変化する第１演出（例えば、ボタン保留表示、特殊保留表示）を用いた第１演出（例えば、「保留球変化」の態様の先読み予告演出）、および第２操作有効期間内（例えば、ボタン予告演出の実行期間。具体的には、変動開始時、全図柄変動中（高速変動中）、変動減速時またはリーチ成立後の期間）に操作手段による操作がなされたことにより態様が変化する第２演出（例えば、ボタン予告演出）を実行可能な演出実行手段（例えば、演出制御用マイクロコンピュータ１００におけるステップＳ６０１２，Ｓ６０１３，Ｓ８１０９〜Ｓ８１１２，Ｓ８１２１〜Ｓ８１２７を実行する部分）とを備え、第１演出は、保留表示手段の表示態様が変化する演出（図５３参照）であり、第１操作有効期間と第２操作有効期間とは重複と重複しない場合とする場合があり（例えば、演出制御用マイクロコンピュータ１００は、ステップＳ８１２１〜Ｓ８１２７の処理を実行するときに、ステップＳ８１２２の処理で「Ｙ」であれば、ボタン予告実行中フラグの有無にかかわらずステップＳ８１２３の処理を実行し、ステップＳ８１２５の処理で「Ｙ」であれば、先読み予告実行中フラグの有無にかかわらずステップＳ８１２６の処理を実行する）、演出実行手段は、第１操作有効期間と第２操作有効期間とが重複している期間に操作手段に対して操作がなされたことにより、第１演出および第２演出のうちいずれか一方を実行し、特別演出が実行されているときには第１演出の実行を禁止する禁止手段を備えたことを特徴とする。
そのような構成により、遊技に対する興趣を減退させてしまうことを防止できる。
【手続補正５】
【補正対象書類名】明細書
【補正対象項目名】００１０
【補正方法】変更
【補正の内容】
【００１０】
（２）上記の（１）の遊技機において、演出実行手段は、第１操作有効期間内に操作手段に対して第１操作態様の操作がなされたことにより第１演出の態様を変化させ（例えば、演出制御用マイクロコンピュータ１００は、ステップＳ８１２２ｃの処理で「Ｙ」と判定したとき、すなわち、所定数（図３９（Ｃ）参照）以上連打操作が行われたことを検出したときに、ステップＳ８１２３を実行する）、第２操作有効期間内に第１操作態様で操作される操作手段と同じ操作手段（例えば、プッシュボタン１２０）に対して第１操作態様とは異なる第２操作態様の操作がなされたことにより第２演出の態様を変化させる（例えば、演出制御用マイクロコンピュータ１００は、ステップＳ８１２５ｂの処理で「Ｙ」と判定したとき、すなわち、所定時間（例えば、５秒）以上長押し操作が行われたことを検出したときに、ステップＳ８１２６の処理を実行する）ように構成されていてもよい。
そのような構成によれば、操作手段に対する操作態様を異ならせることによって、遊技者が意図していない方の演出情報の態様が変化してしまうことを防止できる。
【手続補正６】
【補正対象書類名】明細書
【補正対象項目名】００１１
【補正方法】変更
【補正の内容】
【００１１】
（３）上記の（１）または（２）の遊技機において、演出実行手段は、保留記憶手段に記憶されている保留記憶の数が第１所定数よりも多い第２所定数である場合には、保留記憶の数が第１所定数である場合に比べて、操作手段に対して多い回数の操作がなされたときに第１演出の態様を変化させる（図３９（Ｃ）参照）ように構成されていてもよい。
そのような構成によれば、保留記憶の数がより少ない数である第１所定数である場合に少ない操作回数にもとづいて第１演出が実行されるので、保留記憶がなくなることによって第１演出の演出対象が消滅するまでの期間が短い場合に、操作回数の不足により第１演出の態様が変化しないことが生ずる可能性が低減する。
【手続補正７】
【補正対象書類名】明細書
【補正対象項目名】００１２
【補正方法】変更
【補正の内容】
【００１２】
（４）上記の（１）〜（３）の遊技機において、操作手段として、第１操作手段（例えば、プッシュボタン１２０）と第２操作手段（例えば、スティックコントローラ１２２のトリガボタン１２１）とを含み、演出実行手段は、第１操作有効期間内に第１操作手段に対して操作がなされたことにより第１演出の態様を変化させ（例えば、演出制御用マイクロコンピュータ１００は、図５６に示すように、ステップＳ８１２１の処理でプッシュボタン１２０からの入力を検出したことにもとづいてステップＳ８１２３の処理を実行する）、第２操作有効期間内に少なくとも第２操作手段を含むいずれかの操作手段に対して操作がなされたことにより第２演出の態様を変化させ（例えば、演出制御用マイクロコンピュータ１００は、図５７に示すように、ステップＳ８１３５Ａの処理でトリガボタン１２１からの入力を検出したことにもとづいてステップＳ８１３５Ｃの処理を実行する）、第１操作有効期間と第２操作有効期間とが重複している期間に、第２演出の態様を変化させるための操作態様として第２操作手段の操作を促す演出を実行する操作態様提示手段（例えば、演出制御用マイクロコンピュータ１００において、図５５に示すように、ステップＳ８１１１Ａの処理で「Ｙ」と判定したとき、すなわち、先読み予告演出とボタン予告演出とを並行して実行するときに、ステップＳ８１１１Ｂの処理を実行してボタン操作示唆表示Ａを表示する部分）を備えていてもよい。
そのような構成によれば、操作手段を異ならせることによって、遊技者が意図していない方の演出情報の態様が変化してしまうことを防止できる。
【手続補正８】
【補正対象書類名】明細書
【補正対象項目名】００１３
【補正方法】変更
【補正の内容】
【００１３】
（５）上記の（１）〜（４）の遊技機において、保留記憶にもとづく可変表示の表示結果が特定表示結果になる可能性の度合いに応じた複数の態様から、第１演出としての第１態様を決定する演出決定手段（例えば、演出制御用マイクロコンピュータ１００において、ステップＳ６００５，Ｓ６００７，Ｓ６００８の処理を実行する部分：図５９も参照）を備え、演出実行手段は、第１演出として、少なくとも、操作手段に対して所定の複数回の操作がなされたときに第１演出の態様を第１態様（例えば、金色表示：図５９参照）に変化させる演出と、操作手段に対して所定の複数回の操作がなされたときに第１演出の態様を第１態様に比べて可能性が低い第２態様（星形表示：図５９参照）に変化させた後に所定の時期に第１態様に変化させる演出とを実行するように構成されていてもよい。
そのような構成によれば、第１演出の態様が変化した後にさらに変化することがあるので、第１演出に対する遊技者の期待感をより長く維持させることができる。
【手続補正９】
【補正対象書類名】明細書
【補正対象項目名】００１４
【補正方法】変更
【補正の内容】
【００１４】
（６）上記の（１）〜（５）の遊技機において、識別情報の可変表示中の所定期間において操作手段に対して特定の複数回の操作がなされたときに当該可変表示の表示結果を予告するための演出を実行する予告演出手段（例えば、演出制御用マイクロコンピュータ１００において、ステップＳ８１３３，Ｓ８１３４の処理を実行する部分：図４９参照）を備え、演出実行手段は、所定期間において操作手段に対する操作回数が所定回になったときに第１演出の態様を第１態様に変化させる（図６２におけるステップＳ８１２９Ｂ，Ｓ８１２９Ｃ参照）ように構成されていてもよい。
そのような構成によれば、遊技者が意識していないときに第１演出の態様が変化することがあるので、遊技の興趣をより向上させることができる。